(57)【特許請求の範囲】
【請求項１】
砕石等の充填材を充填して用いる網状部材から構成した蛇篭の背面から、端部に透孔を形成した多数の棒状部材を平行に配列して構成した水平埋設部材を挿入するとともに、前記透孔に連結棒を挿通して蛇篭と水平埋設部材の一端側とを連結するとともに、水平埋設部材の他端側には、土中に略水平に埋設される網体を連結したことを特徴とする蛇篭構造体。
【請求項２】
前記蛇篭の網状部材を、引張強さ５００Ｎ／ｍｍ２以上で、かつ直径３ｍｍ以上の心線を用いた線材により形成したことを特徴とする請求項１記載の蛇篭構造体。
【発明の詳細な説明】
【０００１】
【発明の属する技術分野】
本発明は、堤防や道路の法面等（以下、単に「法面」という。）を保護するために、法面に沿って設置される蛇篭構造体に関し、特に、蛇篭を安定して設置できるようにした蛇篭構造体に関するものである。
【０００２】
【従来の技術】
従来、堤防や道路の法面等を造成する場合、法面を保護するために、法面に沿ってコンクリートを打設したり、コンクリート製ブロックを設置するようにしている。
しかしながら、近年の環境保護の気運の高まりとともに、上記従来のコンクリートを使用する工法の見直しが進められ、自然環境に適合した工法の開発が要請されている。
【０００３】
【発明が解決しようとする課題】
ところで、この環境保護の要請に応えるものとして、砕石等の充填材を充填した蛇篭を法面に沿って設置する工法が実用化されているが、この工法の場合、蛇篭を単独で積み重ねて使用することは、安定性の点で問題があった。
このため、従来、蛇篭を設置する場合には、蛇篭をコンクリート製保護枠や杭等からなる定着部材や土中に略水平に埋設する網体に固定したり、蛇篭同士を固定することにより、蛇篭の設置状態が安定化するようにしていた。
【０００４】
しかしながら、蛇篭と定着部材又は網体との固定作業は、基本的に現場作業となり、また、この作業は極めて煩雑なものとなることから、作業効率が著しく低下するとともに、信頼性の点でも問題があった。
【０００５】
本発明は、上記従来の蛇篭を用いる工法の有する問題点に鑑み、水平埋設部材を併用することにより、簡易に蛇篭を安定して設置できるようにした蛇篭構造体を提供することを目的とする。
【０００６】
【課題を解決するための手段】
上記目的を達成するため、本発明の蛇篭構造体は、砕石等の充填材を充填して用いる網状部材から構成した蛇篭の背面から、端部に透孔を形成した多数の棒状部材を平行に配列して構成した水平埋設部材を挿入するとともに、前記透孔に連結棒を挿通して蛇篭と水平埋設部材の一端側とを連結するとともに、水平埋設部材の他端側には、土中に略水平に埋設される網体を連結したことを特徴とする。
【０００７】
本発明の蛇篭構造体は、蛇篭の背面から挿入した、水平埋設部材を構成する棒状部材の端部に形成した透孔に連結棒を挿通することにより、蛇篭の背面側と水平埋設部材の一端側とを、簡易に、かつ、確実に連結することができ、土中に略水平に埋設される水平埋設部材が定着部材となり、また、この水平埋設部材の他端側に網体を簡易に、かつ、確実に連結することができ、これにより、蛇篭を安定して設置することができる。
【０００８】
この場合において、蛇篭の網状部材は、その耐久性等を考慮して、引張強さ５００Ｎ／ｍｍ２以上で、かつ直径３ｍｍ以上の心線を用いた線材により形成することが望ましい。
【０００９】
【発明の実施の形態】
以下、本発明の蛇篭構造体の実施の形態を図面に基づいて説明する。
【００１０】
図１〜図２は、本発明の蛇篭構造体の一実施例を示す。
この蛇篭構造体は、砕石等の充填材９を充填して用いる網状部材１２から構成した蛇篭１と、多数の棒状部材２１を平行に配列して構成した水平埋設部材２とからその主要部を構成し、蛇篭１の背面から網状部材１２の網目を通して、水平埋設部材２の端部に透孔２１ａを形成した棒状部材２１を挿入するとともに、透孔２１ａに連結棒３を挿通して蛇篭１と水平埋設部材２の一端側とを連結するようにする。
【００１１】
蛇篭１は、線材からなる枠部材１１と、この枠部材１１に張設した網状部材１２とからなり、通常、図３に示すように、本体１ａと蓋体１ｂとに分割して工事現場まで移送する。そして、工事現場において、コイル状の閉じ線材（図示省略）を使用して、本体１ａを上方が開口した箱形状に形成し、その背面に水平埋設部材２を連結するとともに、所定の位置に設置し、砕石等の充填材９を充填した後、コイル状の閉じ線材を使用して本体１ａの開口を蓋体１ｂにより閉鎖するようにする。
【００１２】
蛇篭１の大きさ及び形状は、蛇篭１の使用形態によって任意に設定することができるが、例えば、蛇篭１は、横幅Ｗ1が１００〜５００ｃｍ、高さＨが２５〜１００ｃｍ、奥行きＷ2が５０〜２００ｃｍ程度の大きさの直方体形状のものが、取扱性がよく、好ましく使用される。
また、同様に、網状部材１２の網目の大きさ、砕石等の充填材９の粒径は、蛇篭１の使用形態によって任意に設定することができるが、例えば、網状部材１２の網目は、５〜１５．０ｃｍ程度の大きさのものが、好ましく使用される。
【００１３】
枠部材１１及び網状部材１２並びに閉じ線材を形成する線材１０には、引張強さの大きな鉄線等を心線に用い、さらに、防錆処理を施すことにより耐久性を高めた線材を使用するようにする。
特に限定されるものではないが、本実施例においては、図４に示すように、鉄線からなる心線１０ａの表面に亜鉛めっき層１０ｂ、接着剤層１０ｃ及び塩化ビニル樹脂層を積層した線材１０を使用するようにしている。
また、心線１０ａには、引張強さ３００Ｎ／ｍｍ２以上、好ましくは、５００Ｎ／ｍｍ２以上で、かつ直径３ｍｍ以上の鉄線を用い、より具体的には、枠部材１１には直径５ｍｍの鉄線を、また、網状部材１２には直径４ｍｍの鉄線を用いるようにする。
【００１４】
水平埋設部材２は、図５に示すように、多数の細板状の棒状部材２１を平行に配列し、これを所定の間隔をあけて配設した連結部材２２により連結して、全体として格子形状に形成するとともに、棒状部材２１の一端部（蛇篭１との連結部）に透孔２１ａを形成し、他端部に適当な間隔をあけて複数個の透孔２１ｂ，２１ｂを形成するようにする。
この水平埋設部材２は、鋼材等の金属で以て構成し、さらに、防錆処理を施すことにより耐久性を高めるようにする。
水平埋設部材２の棒状部材２１の長さは、蛇篭１の使用形態によって任意に設定することができるが、蛇篭１の設置安定性等を考慮して、２０〜３００ｃｍ程度のものが、好ましく使用される。
【００１５】
ところで、水平埋設部材２の他端側（蛇篭１との連結部の反対側）には、通常、図６に示すように、蛇篭１の設置安定性を向上させるために、土中に略水平に埋設される網体４を連結するようにする。
【００１６】
この網体４は、一般的には、ポリエチレン、ポリプロピレン、ポリエステル、ポリビニルアルコール、ポリアミド、ポリ塩化ビニル等の合成樹脂又は合成樹脂繊維から構成されるもので、軽量で、かつ、取り扱いが容易であり、さらに、耐腐食性を有するものを使用する。
【００１７】
盛土補強部材の水平埋設部材２と網体４との連結構造としては、本例においては、図７に示すように網体４の端部を巻き付けた固定棒５の両端部を、図６に示すように、水平埋設部材２の棒状部材２１の他端部に形成した透孔２１ｂ，２１ｂに脚部６ａ，６ａを挿入して配設した図９に示す門形固定具６に挿入することにより固定する方式を採用するようにしている。
これにより、水平埋設部材２の細板状の棒状部材２１に網体４を簡易かつ強固に連結することができるが、連結構造はこれに限定されず、任意の連結構造を採用することができる。
この場合において、固定棒５には、図８に示すように、両端にフランジ５ａを形成した曲げ強度の大きな形鋼を使用することが望ましい。
また、図９（ｄ）に示すように、門形固定具６の脚部６ａ，６ａの少なくとも一方を他方側に延設することにより脚部６ｂを形成し、この脚部６ｂを脚部６ａ，６ａが挿入される水平埋設部材２の棒状部材２１に隣接する水平埋設部材２の棒状部材２１の透孔２１ｂに挿入することにより、門形固定具６の固定状態を安定させることができる。
【００１８】
また、網体には、図１０〜図１１に示すような、一軸延伸したポリプロピレン、超高分子ポリエチレン等の大きい引張強度を有する合成樹脂製の芯テープの表面にエチレンー酢酸ビニル共重合体、塩化ビニル樹脂等の熱可塑性樹脂製の被覆層を形成した被覆テープを縦糸７１及び横糸７２とし、これら縦糸７１と横糸７２の交点を高周波溶着して全体として格子状に形成したものを使用することができる。
なお、網体７の格子形状は、図１０に示すような長方形のほか、正方形にすることもできる。
【００１９】
芯テープには、延伸倍率が５〜２０倍で、厚さが０．０５〜１．０ｍｍ、幅が５〜２０ｍｍのポリプロピレン又は超高分子ポリエチレンからなるテープ体を使用することが望ましい。
これにより、大きい引張強度を有する網体を得ることができる。
また、この芯テープは、上記のテープ体を複数本重ねたものを使用することもでき、これにより、引張強度を維持しながら、剛性を低減することができ、巻回性がよく、取扱い易い網体を得ることができる。
【００２０】
被覆層には、誘電率の高いエチレンー酢酸ビニル共重合体又は塩化ビニル樹脂、特に、高周波溶着性の良好な酢酸ビニル含有率が５〜３５重量％のエチレンー酢酸ビニル共重合体を使用することが望ましい。
これにより、縦糸７１と横糸７２の交点に高周波電界を印加することにより、被覆層を構成する誘電率の高い熱可塑性樹脂に分子歪みと分子摩擦を起こさせて急速に誘電加熱し、縦糸７１と横糸７２の交点を強固に溶着することができる。なお、このとき、誘電率の低いポリプロピレン又は超高分子ポリエチレンからなる芯テープは、誘電加熱されにくいため、熱によって劣化することがない。
【００２１】
このようなテープ状体からなる縦糸７１と横糸７２の交点を固着して得た網体７を使用する場合の水平埋設部材２と網体７との連結構造は、図１０〜図１１に示すように、網体７の端部を折り返して重ね、折り返した側の網体７の端部の横糸７２ａより折り返し側に位置する網体７の上下の縦糸７１を縫って第１連結棒８ａを挿通するとともに、それより折り返し側に位置する網体７の上下の縦糸７１の一方側に水平埋設部材２の棒状部材２１の端部に配設した連結部材２２を配置し、水平埋設部材２の棒状部材２１の一方側に位置するように網体７の折り返し部の縦糸７１に第２連結棒８ｂを挿通するものである。
【００２２】
なお、第１連結棒８ａ及び第２連結棒８ｂには、網体７を介して作用する引張力によって折曲したり、破断しない程度の剛性及び強度を有する鉄等の金属製の棒状体を使用することが望ましく（本例においては、丸棒鋼を使用している。）、さらに、必要に応じて、めっき等による防錆処理を施すようにする。
また、本例においては、第１連結棒８ａにより、折り返した側の網体７の端部の横糸７２ａより折り返し側に位置する網体７の上下の縦糸７１が、第１連結棒８ａの上側又は下側に交互に位置するように縫うことにより、網体７の上下の縦糸７１間に大きな摩擦力を生じさせ、この摩擦力により、網体７に作用した引張力が縦糸７１全体に均一に分散するようにしているが、第１連結棒８ａによる縦糸７１の縫い方は、本例のものに限定されず、例えば、縦糸７１を２本置きに縫うようにして第１連結棒８ａを挿通することもできる。
【００２３】
次に、上記のように構成した蛇篭構造体の設置方法について説明する。
本体１ａと蓋体１ｂとに分割して工事現場まで移送した蛇篭１を、工事現場において、コイル状の閉じ線材（図示省略）を使用して、本体１ａを上方が開口した箱形状に形成し、蛇篭１の背面から網状部材１２の網目を通して、水平埋設部材２の端部に透孔２１ａを形成した棒状部材２１を挿入するとともに、透孔２１ａに連結棒３を挿通して蛇篭１と水平埋設部材２の一端側とを連結するとともに、これを地盤Ｄ１上の所定の位置に設置し、砕石等の充填材９を充填した後、コイル状の閉じ線材を使用して本体１ａの開口を蓋体１ｂにより閉鎖するようにする。
【００２４】
そして、水平埋設部材２の他端側（蛇篭１との連結部の反対側）に、網体５，７を連結するようにする。
なお、この網体の連結方式としては、網体の端部を巻き付けた固定棒５の両端部を、図６（ｂ）に示すように、水平埋設部材２の棒状部材２１の他端部に形成した透孔２１ｂ，２１ｂに門形固定具６に挿入することにより固定する方式や、図１０〜図１１に記載した方式を採用することができる。
【００２５】
そして、図１２に示すように、蛇篭１の背面の水平埋設部材２及び網体５，７の上面に、蛇篭１の上面の高さ位置まで土砂Ｄ２を充填する。
以下、同様の手順に従って、順次蛇篭１を積み重ねることにより、堤防や道路の法面等を保護することができる。
なお、蛇篭１は、図１２（ａ）に示すように下方に位置する蛇篭１の上に次の蛇篭１をずらして積み重さねても、図１２（ｂ）に示すように下方に位置する蛇篭１の真上に次の蛇篭１を積み重さねることもできる。
【００２６】
【発明の効果】
本発明の蛇篭構造体によれば、蛇篭の背面側と水平埋設部材の一端側とを、簡易に、かつ、確実に連結することができ、土中に略水平に埋設される水平埋設部材が定着部材となり、また、この水平埋設部材の他端側に網体を簡易に、かつ、確実に連結することができ、これにより、蛇篭を高い信頼性を以て安定して設置することができるとともに、蛇篭の設置作業の作業効率を向上することができる。
【図面の簡単な説明】
【図１】本発明の蛇篭構造体の一実施例を示す外観斜視図である。
【図２】本発明の蛇篭構造体の一実施例を示し、（ａ）は側面図、（ｂ）は平面図である。
【図３】蛇篭を示し、（ａ）は本体の展開図、（ｂ）は蓋体の平面図である。
【図４】蛇篭を構成する線材を示す説明図である。
【図５】水平埋設部材を示し、（ａ）は側面図、（ｂ）は平面図である。
【図６】水平埋設部材と網体との連結構造を示す側面図である。
【図７】網体の端部を固定棒に巻き付けた状態を示す外観斜視図である。
【図８】固定棒を示し、（ａ）は平面図、（ｂ）は側面図である。
【図９】門形固定具を示し、（ａ）は側面図、（ｂ）は背面図、（ｃ）は外観斜視図、（ｄ）はその変形例の外観斜視図である。
【図１０】水平埋設部材と網体との連結構造を示す外観斜視図である。
【図１１】水平埋設部材と網体との連結構造を示し、（ａ）は平面図、（ｂ）は（ａ）のＡ−Ａ線断面図、（ｃ）は（ａ）のＢ−Ｂ線断面図である。
【図１２】本発明の蛇篭構造体の使用例を示す説明図である。
【符号の説明】
１      蛇篭
１０    線材
１０ａ  心線
１１    枠部材
１２    網状部材
２      水平埋設部材
２１    棒状部材
２１ａ  透孔
２１ｂ  透孔
２２    連結部材
３      連結棒
４      網体
５      固定棒
６      門形固定具
７      網体
８ａ    第１連結棒
８ｂ    第２連結棒
９      充填材
【図１】
0003592012.tif 000002
【図２】
0003592012.tif 000003
【図３】
0003592012.tif 000004
【図４】
0003592012.tif 000005
【図５】
0003592012.tif 000006
【図６】
0003592012.tif 000007
【図７】
0003592012.tif 000008
【図８】
0003592012.tif 000009
【図９】
0003592012.tif 000010
【図１０】
0003592012.tif 000011
【図１１】
0003592012.tif 000012
【図１２】
0003592012.tif 000013